(57)【要約】【課題】意外性のある表情や動作を撮影するためのカメラ機能およびタイマー撮影機能を備える携帯無線端末を提供する。【解決手段】携帯無線端末であって、外部からの指示を入力するための操作部１４への入力に応じて、外部の通信網と信号の授受を行なうための無線部と画像を撮影するためのカメラ２２とを制御するための制御部を備え、制御部は、時間計測を行なうためのタイマ部を含み、操作部１４へ撮影のための入力を受けてからタイマ部により時間計測を開始して、計測された時間が撮影を開始するための撮影開始時間を経過したときに撮影を行ない、撮影開始時間は、予め設定された撮影設定時間と撮影設定時間経過してから撮影を行なうまでの待機時間とを含み、制御部は、撮影毎に待機時間をランダムに変更する。【選択図】        図１
2004233726.tif 000002
【特許請求の範囲】
【請求項１】
外部の通信網と信号の授受を行なうための通信手段と、
画像を撮影するための撮影手段と、
外部からの指示を入力するための操作手段と、
前記操作手段への入力に応じて前記通信手段および前記撮影手段を制御するための制御手段とを備え、
前記制御手段は、時間計測を行なうための時間計測手段を含み、
前記操作手段へ前記撮影のための前記入力を受けてから前記時間計測手段により前記時間計測を開始して、計測された時間が前記撮影を開始するための撮影開始時間を経過したときに前記撮影を行ない、
前記撮影開始時間は、予め設定された撮影設定時間と前記撮影設定時間経過してから前記撮影を行なうまでの待機時間とを含む、携帯無線端末。
【請求項２】
前記制御手段は、前記撮影毎に前記待機時間を変更するための待機時間変更手段を含み、
前記待機時間変更手段は、前記待機時間を前回の前記撮影時とは異なる時間に変更する、請求項１記載の携帯無線端末。
【請求項３】
前記待機時間変更手段は、前記待機時間をランダムに変更する、請求項２記載の携帯無線端末。
【発明の詳細な説明】
【０００１】
【発明の属する技術分野】
この発明は、カメラ機能を備える携帯無線端末の構成に関する。
【０００２】
【従来の技術】
従来のカメラ機能を備える携帯無線端末において、利用者自身を撮影する場合や利用者本人を含む複数の人を撮影する場合などに、手ぶれにより画像のピントが合わなくなることを避けるために、タイマ撮影機能をさらに備えた携帯無線端末が提案されている。
【０００３】
また、携帯無線端末を固定したまま、タイマ撮影機能による撮影タイミングで撮影を行なうことが可能なカメラ機能を備える携帯無線端末が提案されている。
【０００４】
一方、撮影タイミングについては、音のみでなく視覚的にもセルフタイマの起動を確認できる技術が提案されている。たとえば、騒音の大きい場所や、設置場所からかなり離れている場合であってもシャッタが切られる時期を容易に確認できる電子スチルカメラが提案されている。
【０００５】
従来例としては、電子スチルカメラについて、以下のような構成が公知である（たとえば、特許文献１参照）。すなわち、電子スチルカメラにおいて、セルフタイマ使用時には、ＣＣＤとＬＣＤとの双方を被撮影者側に向ける。次に、セルフタイマスイッチを操作すると、ＣＣＤの制御がオフとなり、タイマによる実時間の計時が開始される。被撮影者側に向けられたＬＣＤには、セルフタイマの経過時間に応じてカウントダウンする数字が表示される。したがって、被撮影者はシャッタが切られるまでの残り時間を視覚的に知ることができる。そして、タイムアップすると、ＣＣＤの制御がオン状態となり、被撮影者の映像が撮影され、ＤＲＡＭに記憶される。その後、圧縮／伸張部により圧縮されてフラッシュメモリへ格納される。また、再生が指示されると、圧縮／伸張部により伸張した後、ＬＣＤに表示する。
【０００６】
【特許文献１】
特開平７―３３３７１０号公報明細書
【０００７】
【発明が解決しようとする課題】
しかしながら上述したような従来技術には、カメラ機能およびタイマ撮影機能を備える携帯無線端末において、タイマ撮影を利用して撮影する場合、シャッタが切れるタイミングに合わせてポーズをとることが多い。その結果、面白みに欠ける写真が撮影されることが多かった。
【０００８】
この発明は、上記のような課題を解決するためになされたものであって、その目的は、タイマ撮影を利用してシャッタを切る際に手ぶれを防止しながら、意外性のある表情や動作を撮影するためのカメラ機能およびタイマ撮影機能を備える携帯無線端末を提供することである。
【０００９】
【課題を解決するための手段】
この発明のある局面に係る携帯無線端末は、外部の通信網と信号の授受を行なうための通信手段と、画像を撮影するための撮影手段と、外部からの指示を入力するための操作手段と、操作手段への入力に応じて通信手段および撮影手段を制御するための制御手段とを備え、制御手段は、時間計測を行なうための時間計測手段を含み、操作手段へ撮影のための入力を受けてから時間計測手段により時間計測を開始して、計測された時間が撮影を開始するための撮影開始時間を経過したときに撮影を行ない、撮影開始時間は、予め設定された撮影設定時間と撮影設定時間経過してから撮影を行なうまでの待機時間とを含む。
【００１０】
好ましくは、制御手段は、撮影毎に待機時間を変更するための待機時間変更手段を含み、待機時間変更手段は、待機時間を前回の撮影時とは異なる時間に変更する。
【００１１】
好ましくは、待機時間変更手段は、待機時間をランダムに変更する。
【００１２】
【発明の実施の形態】
以下、本発明の実施の形態におけるカメラ付携帯電話機の構成および動作について図面を参照して詳細に説明する。
【００１３】
図１は、本発明の実施の形態におけるカメラ付携帯電話機１００の構成を示す外観図である。
【００１４】
図１を参照して、カメラ付携帯電話機１００は、無線信号の受信および送信を行なうためのアンテナ２と、外部から音声を入力するためのマイク１０と、音声信号を外部へ出力するためのスピーカ８と、数字や文字等のデータ入力や機能選択等の指示の入力を行なうための操作部１４と、操作部１４によって入力されたデータや記憶部（図示せず）から読み出されたデータを表示するための表示部１８と、多色発光が可能なＬＥＤ（ｌｉｇｈｔ  ｅｍｉｔｔｉｎｇ  ｄｉｏｄｅ）２０と、人物や風景などの撮影が可能なカメラ２２とを備える。
【００１５】
ＬＥＤ２０およびカメラ２２は、カメラ付携帯電話機１００の筐体背面上部に配置されている。
【００１６】
次に、カメラ付携帯電話機１００におけるカメラ２２による撮影の際の動作を説明する。
【００１７】
ユーザは、操作部１４への入力によりカメラモードを起動する。つづいて、ユーザは、カメラ２２を被写体に向ける。操作部１４への指示の入力により撮影を行なう。撮影して得られた画像データは、内部の記憶部に格納される。また、操作部１４への指示の入力に応じて、表示部１８において画像を表示することによりユーザは、撮影して得られた画像を確認することもできる。
【００１８】
図２は、本発明の実施の形態におけるカメラ付携帯電話機１００の構成を示す制御機能ブロック図である。
【００１９】
図２を参照して、カメラ付携帯電話機１００は、アンテナ２と、アンテナ２を介して無線基地局（図示せず）と無線信号の送受信を行うための無線部４と、無線部４によって送受信される無線信号に所定の信号変換処理を施し、音声信号へと変換するための音声処理部６と、音声処理部６によって処理される音声信号を外部に出力するためのスピーカ８と、外部からの音声を入力して音声処理部６へと送るためのマイク１０と、無線部４によって送受信される無線信号に所定の信号変換処理を施し、テキストデータやＨＴＭＬ（Ｈｙｐｅｒ  Ｔｅｘｔ  Ｍａｒｋｕｐ  Ｌａｎｇｕａｇｅ）データやプログラム等の各種データに変換するためのデータ処理部１２と、数字や文字等のデータ入力や機能選択等の各種指示を行うための操作部１４と、データ処理部１２によって処理された各種データや操作部１４によって入力されたデータを記憶するための記憶部１６と、操作部１４によって入力されたデータや記憶部１６から読み出されたデータを表示するための表示部１８と、多色発光が可能なＬＥＤ２０と、人物や風景などの撮影が可能なカメラ２２と、二次電池等によって構成され各部に電力を供給するための電源２４と、カメラ付携帯電話機１００の全体の動作を制御するための制御部２６とを備える。
【００２０】
カメラ付携帯電話機１００は、音声通信機能を備える。カメラ付携帯電話機１００は、たとえば、以下のような動作により通信相手との音声通信を可能とする。ユーザは、操作部１４へ特定する相手先特定情報を入力する。制御部２６は、操作部１４への入力に応じて相手先特定情報をデータ処理部１２により無線信号に変換させる。制御部２６は、無線部４によりアンテナ２を介して無線基地局へと変換された無線信号を送信する。通信相手との接続後に、ユーザは、音声をマイク１０に入力する。制御部２６は、入力された音声信号を音声処理部６により無線信号へと変換させる。そして、制御部２６は、無線部４によりアンテナ２を介して無線信号を外部の無線基地局へと送信させる。つづいて、制御部２６は、無線部４によりアンテナ２を介して無線基地局から相手先が送信した無線信号を受信させる。制御部２６は、受信された無線信号を音声処理部６により音声信号に変換させる。その結果、制御部２６は、スピーカ８により音声を出力させる。
【００２１】
また、カメラ付携帯電話機１００は、タイマ撮影機能を備える。制御部２６の内部にタイマ部２８を含む。カメラモードを起動中にタイマ撮影の設定を行なうことにより、制御部２６は、操作部１４へ撮影するための入力を行なった後に時間計測を開始する。制御部２６は、計測された時間が設定された時間経過した後にカメラ２２による撮影を行なう。
【００２２】
本発明の実施の形態におけるカメラ付携帯電話機１００は、さらにランダムタイマ機能を備える。ランダムタイマ機能は、タイマ撮影機能により設定された時間経過してから０〜５秒後に撮影を行なう機能である。設定された時間経過後から制御部２６がカメラ２２による撮影を行なうまでの待機時間は、撮影する毎に制御部２６によりランダムに変更される。
【００２３】
図３は、カメラ付携帯電話機１００においてランダムタイマ機能によるタイマ撮影を行なう際の動作を示すフローチャートである。
【００２４】
図３を参照して、上述のような構成のカメラ付携帯電話機１００について、ランダムタイマ機能によるカメラ２２の撮影動作をフローチャートに基づいて説明する。
【００２５】
各部に供給すべき電力が電源２４に蓄えられている状況において、操作部１４によってカメラ付携帯電話機１００の電源投入の指示がなされたときに制御部２６は、制御フローを開始する。
【００２６】
制御部２６は、カメラモードが起動中であるかを確認する（ステップＳ３１）。
【００２７】
つづいて、制御部２６は、タイマ撮影を設定しているかを確認する（ステップＳ３２）。
【００２８】
次に、制御部２６は、ランダムタイマ撮影を設定しているかを確認する（ステップＳ３３）。
【００２９】
そして、カメラモードが起動中で、かつタイマ撮影を設定しており、さらにランダムタイマ撮影が設定されている状況においてカメラ付携帯電話機１００は、外部から撮影をするための操作部１４への入力を受ける。
【００３０】
操作部１４への入力に応じて、制御部２６は、内部のタイマ部２８により時間計測を開始させる。このとき、制御回路２６は、タイマ撮影のために設定された時間からカウントダウンを開始する。そして、カウントダウンが終了して設定された時間が経過する。（ステップＳ３４）。
【００３１】
つづいて、制御部２６は、ステップＳ３４においてカウントダウンが終了した後から５秒以内に撮影を行なう（ステップＳ３５）。
【００３２】
このとき、カウントダウン終了後から撮影までの待機時間は、制御部２６がランダムに決定した時間である。また、制御部２６は、撮影毎にこの待機時間を変更する。このとき、待機時間がランダムに決定されることに限定しない。たとえば、待機時間は、前回の撮影時とは異なる待機時間であればよい。
【００３３】
以上のようにカメラ付携帯電話機１００においてタイマ撮影機能を使用する場合、制御部２６は、ランダムタイマ撮影の設定により撮影毎にタイマ満了後から撮影するまでの待機時間の変更を可能とする。このとき、被撮影者が予期せずに撮影されるため、意外性のある表情や動作を手ぶれのない状況で撮影することができる。
【００３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３５】
【発明の効果】
以上説明したとおり、本発明によれば、撮影手段を備える携帯無線端末において、待機時間変更手段により待機時間が前回の撮影時とは異なる時間に変更される場合、ユーザは、いつ撮影されるかわからない。そのため、意外性のある表情や動作を手ぶれのない状況で撮影することができる。
【図面の簡単な説明】
【図１】本発明の実施の形態におけるカメラ付携帯電話機１００の構成を示す外観図である。
【図２】本発明の実施の形態におけるカメラ付携帯電話機１００の構成を示す制御機能ブロック図である。
【図３】カメラ付携帯電話機１００においてランダムタイマ機能によるタイマ撮影を行なう際の動作を示すフローチャートである。
【符号の説明】
２  アンテナ、４  無線部、６  音声処理部、８  スピーカ、１０  マイク、１２  データ処理部、１４  操作部、１６  記憶部、１８  表示部、２０  ＬＥＤ、２２  カメラ、２４  電源、２６  制御部、２８  タイマ部、１００  カメラ付携帯電話機。
【図１】
2004233726.tif 000003
【図２】
2004233726.tif 000004
【図３】
2004233726.tif 000005